(57)【要約】【課題】優れた量産効率を有し、直径が小さい繊維を製造できる繊維製造装置を提供する。【解決手段】溶融液、溶融塊または飛灰スラグを導入可能な供給管１１が設けられているハウジング１があり、下方に収容室１５が設けられ、収容室１５に導出口１５１が設けられている。供給管１１の下方に設けられている一つの受止台２があり、溶融液が流出するための導出口２１を有する。少なくとも二つの圧延フライホイール４があり、軸棒４１によって導出口２１の下方の両側に設けられている。複数の遠心タンジェントカム５があり、軸棒５１を有し、圧延フライホイール４の側に設けられ、外縁が圧延フライホイール４の表面に接触している。軸棒４１と軸棒５１を連れて回動させる一つの伝動装置６がある。【選択図】図１
0003134502.tif 000002
【実用新案登録請求の範囲】
【請求項１】
溶融液、溶融塊または飛灰スラグを導入可能な供給管が設けられている一つのハウジングが設けられ、前記ハウジングの下方に収容室を有し、収容室は導出口を有し、
供給管の下方に設けられている一つの受止台が設けられ、溶融液が流出するための導出口を有し、
少なくとも二つの圧延フライホイールがあり、軸棒によって受止台の導出口の下方の両側に設けられ、二つの圧延フライホイールに溶融液を圧延する間隔を有しており、
複数の遠心タンジェントカムが設けられ、圧延フライホイールの側に設けられた軸棒を有し、前記軸棒の外縁が圧延フライホイールの表面に当たって接触し、
圧延フライホイールと遠心タンジェントカムの軸棒を回動させる一つの伝動装置があることを特徴とする繊維製造装置。
【請求項２】
ハウジングに外界の気体を導入可能な気流入口が設けられていることを特徴とする請求項１記載の繊維製造装置。
【請求項３】
ハウジングの供給口に排煙口と温度感知器が設けられていることを特徴とする請求項１記載の繊維製造装置。
【請求項４】
供給管に導入される溶融液、溶融塊または飛灰スラグを加熱する加熱装置を設置可能であり、加熱装置は高周波加熱器か電極加熱器であってもよいことを特徴とする請求項１記載の繊維製造装置。
【請求項５】
圧延フライホイールの表面において円周方向へ複数の溝が設けられていることを特徴とする請求項１記載の繊維製造装置。
【請求項６】
遠心タンジェントカムの外縁に刷毛体があり、圧延フライホイールの表面に当たって接触することを特徴とする請求項１記載の繊維製造装置。
【請求項７】
一つ一つの圧延フライホイールには一つの遠心タンジェントカムを組合せることを特徴とする請求項１記載の繊維製造装置。
【請求項８】
一つ一つの圧延フライホイールには一つ以上の遠心タンジェントカムを組合せることを特徴とする請求項１記載の繊維製造装置。
【請求項９】
ハウジングの収容室にはブロワーが連接して設けられていることを特徴とする請求項１記載の繊維製造装置。
【考案の詳細な説明】
【技術分野】
【０００１】
本考案は、石綿或いは石綿含有物から繊維を製造する装置に関し、主として一種の石綿或いは石綿含有物を固化した繊維体に形成して、より優れた再生利用性を高めることができるものを指す。
【背景技術】
【０００２】
石綿は、従来建材またはその他の製品に広く使用されてきて、石綿の枝状構造によってその組合せの構造の強度を向上できる。
しかし、石綿の枝状構造は細かくて空気中に浮遊できるため、人間は石綿或いは石綿含有物のある環境の中に居ると、知らず知らずのうちに石綿繊維を肺に吸入して、長期に渡る吸入によって、人体の健康を損なって、更に死亡に至る危険をもたらす。
【０００３】
目下、石綿或いは石綿含有物による問題を解決するために、石綿或いは石綿含有物を高温まで加熱し、その構造を破壊し、更に溶融塊に形成させる方法が採用されているが、燃焼処理を経て冷却した溶融塊は再び燃焼処理することができない。このため、伝統の方式では溶融塊を適当な埋立場に運搬して埋立処理しているが、前記従来知られた方式では運搬、埋立などの手順によって溶融塊の処理は不便になり、コストの増加などをもたらす。
【考案の開示】
【考案が解決しようとする課題】
【０００４】
本考案の目的は、再生利用を高めるため、より優れた量産効率を有し、且つ直径がより小さい繊維の製造を可能にする石綿或いは石綿含有物から繊維を製造する装置を提供することにある。
【課題を解決するための手段】
【０００５】
本考案の実施可能な石綿或いは石綿含有物から繊維を製造する装置には、ハウジング、受止台、加熱装置、少なくとも二つのフライホイール、複数の遠心タンジェントカム、伝動装置、ブロワーがあり、その中において、ハウジングには燃焼炉の導出口に相通する供給管及び外界の気体を導入する気流入口を設置する。供給管に排煙口及び温度感知器を設置し、また、ハウジングの下方に収容室を設け、収容室に導出口と覗き窓を設け、更に該導出口が外界の収集装置と相通している。
【０００６】
受止台は、供給管の下方に設けられ、且つ溶融液が流出できるような適当な広さのある導出口を有する。また、加熱装置は、高周波加熱器、電極加熱器或いはその他の加熱装置であってもよいものであり、且つ受止台に導入される飛灰スラグ、溶融液または溶融塊に対して液態の圧延可能な温度まで加熱できる。また、二つの圧延フライホイールは、軸棒によって受止台の導出口の下方の両側に設けられ、且つ二つの圧延フライホイールの間に溶融液を圧延できるような間隔があり、且つ反対方向で作動する。
【０００７】
該圧延フライホイールによって溶融液を粘着することができ、且つその表面の材料にはＳＵＳ３１０Ｓステンレススチール、セラミックス或いはその他の適当な材質を選択して使え、また、圧延フライホイールの表面にはその円周方向へ対応して複数の溝を設置し、且つ該溝によって溶融液の流体が拡散できるため、その自由面の面積を拡大できる。遠心タンジェントカムは、軸棒によって圧延フライホイールの側に枢設され、且つその外縁に刷毛体または突出粒を有し、且つ圧延フライホイールの表面に当たって接触しており、それから、一つ一つの圧延フライホイールには一個または一個以上の遠心タンジェントカムを組合せることができ、且つ一つの圧延フライホイールに一個以上の遠心タンジェントカムを組合せると、其々の遠心タンジェントカムの端縁が別々に圧延フライホイールの周囲の違った位置に接触する。
【０００８】
また、伝動装置は、ハウジングの外側に設けられ、且つ数個のモーターと数個の伝動ベルトを有し、且つ該モーターによって伝動ベルト及び圧延フライホイール、遠心タンジェントカムの軸棒を回転するように連動できる。ブロワーは、収容室内にできた繊維を導出でき、且つハウジングの導出口の所に設ける吸気ポンプであってもよい。石綿或いは石綿含有物を二酸化珪素と混合して、且つ燃焼炉で１３５０℃以上まで加熱して共に溶解させる。
【０００９】
石綿或いは石綿含有物は粉砕することができ、且つ二酸化珪素と混合する際、同時に少量の水ガラスを混合することができるため、粘々した水ガラスは粉砕された石綿或いは石綿含有物及び二酸化珪素に付着する。前記混合物が焼却炉または溶融炉に導入されるときに飛散することも防止でき、且つ前記作業は負圧環境で操作でき、それにより、燃焼炉体から導出された溶融液或いは溶融塊をハウジングの上方にある供給管及び受止台に導入できる。そして、加熱装置によって工作温度まで急速に加熱するようにし、それから、該加熱温度が赤外線温度感知器で溶融液の圧延可能な温度になるまで感知され、且つハウジングの供給管に導入される量を制御することにより、加熱装置で加熱されて受止台まで導入される溶融液を圧延温度に達させることができる。
【００１０】
該供給管の熱い煙を排煙口から吸上げて排出でき、受止台の導出口から導出される濃くて粘着性の高い溶融液が圧延フライホイールの間に流れてその表面張力を低減するように圧延フライホイールに圧延され、且つ圧延フライホイールの溝により更に溶融液の流体が拡散しやすいため、その自由面の面積も拡大しやすくなる。
【００１１】
該溶融液が圧延されても、そのまま圧延フライホイールに付着し、且つ圧延フライホイールの回転によって圧延されるため、溶融液にパワーが付与される。遠心タンジェントカムの位置まで圧延されると、遠心タンジェントカムの外縁にある刷毛体または突起粒によって牽引される。フライホイールの表面にある溶融液を圧延し遠心タンジェントカムの方向へ抛り出すことができ、瞬間的に冷却して細長い繊維を形成し、前記溶融液の回転パワー及び遠心力との相互作用によって細長い繊維が圧延フライホイール及び遠心タンジェントカムの表面から離脱できる。
【００１２】
圧延フライホイールの表面に付着して残留した溶融液は圧延フライホイールの回転に合せてもう一つの遠心タンジェントカムの位置まで回転でき、且つもう一つの遠心タンジェントカムによって牽引して抛り出される。このため、圧延フライホイールの表面にある溶融液は一層効率よく牽引されて繊維として製造されるようになり、圧延してから牽引する繊維製造の方式では繊維の直径が更に小さくなるため、その利用性を促進できる。また、該気流入口からチッソのような気体を導入することによって、収容室内の酸素を断絶でき、圧延フライホイールと遠心タンジェントカムが酸化するのも避けられ、使用寿命が高められ、また、該収容室内にある抛り出される繊維はブロワーの引力によってハウジングの導出口へ導出され、且つ収集装置によって収集される。
【考案を実施するための最良の形態】
【００１３】
図１から図３を参照する。本考案の第一実施例による繊維製造装置には、ハウジング１、受止台２、加熱装置３、二つのフライホイール４、四つの遠心タンジェントカム５、伝動装置６及びブロワー７があり、その中において、ハウジング１には燃焼炉８の導出口８１と相通する供給管１１及び外界の気体を導入できる気流入口１２を設置でき、且つ供給管１１に排煙口１３及び温度感知器１４を設置する。そして、該温度感知器１４は赤外線温度感知器であってもよく、且つ排煙口１３には抽出、送入装置（図の中に未表示）を連接でき、また、ハウジング１の下方に収容室１５を設け、且つ収容室１５に導出口１５１と覗き窓１５２を設け、更に該導出口１５１に外界の収集装置（図の中に未表示）を連接して相通する。
【００１４】
受止台２は、供給管１１の下方に設けられ、且つ溶融液が流出できるような適当な広さのある導出口２１を有する。
加熱装置３は、高周波加熱器、電極加熱器或いはその他の加熱装置であってもよいものであり、且つ受止台２に導入される飛灰スラグ、溶融液または溶融塊に対して液体を圧延可能な温度まで加熱できる。
【００１５】
二つの圧延フライホイール４は、軸棒４１によって受止台２の導出口２１の下方の両側に設けられ、且つ二つの圧延フライホイール４の間に溶融液を圧延できるような間隔があり、且つ反対方向に作動する。また、該圧延フライホイール４によって溶融液を粘着することができ、且つその表面の材料にはＳＵＳ３１０Ｓステンレススチール、セラミックス或いはその他の適当な材質を選択して使える。また、圧延フライホイール４の表面にはその円周方向へ対応して複数の溝４２（図２と図６に示す）を設置し、且つ該溝４２によって圧延フライホイール４に導入される溶融液の流体を拡散できるため、その自由面の面積を拡大できる。
【００１６】
遠心タンジェントカム５とは、軸棒５１によって圧延フライホイール４の側に枢設され、且つその外縁に刷毛体を有し、且つ圧延フライホイール４の表面に接触しており、一つ一つの圧延フライホイール４には二つの遠心タンジェントカム５を組合せ、且つ遠心タンジェントカムの端縁が其々圧延フライホイール４の周囲の違った位置に接触する。
【００１７】
伝動装置６とは、ハウジング１の外側に設けられ、且つ数個のモーター６１と数個の伝動ベルト６２を有し、且つ該モーター６１によって伝動ベルト６２及び圧延フライホイール４、遠心タンジェントカム５の軸棒４１、軸棒５１を回転するように連動できる。
ブロワー７とは、収容室１５内にできた繊維を導出し、且つハウジング１の導出口の所に設ける吸気ポンプであってもよい。
【００１８】
図４を参照する。本実施例で繊維を製造するとき、石綿或いは石綿含有物を二酸化珪素と混合、加熱して溶融液９とし、燃焼炉８から導出された溶融液９をハウジング１の上方にある供給管１１及び受止台２に導入できる。加熱装置３によって急速に加熱し、該加熱温度が赤外線温度感知器１４で溶融液９の圧延可能な温度になると感知され、且つハウジング１の供給管１１に導入される量を制御することにより、加熱装置３で加熱されて受止台２まで導入される溶融液９を圧延に適する１２５０℃以上の温度に加熱することができる。燃焼炉８に導入する溶融液９の温度を圧延可能な温度まで加熱したら、加熱装置３は更なる加熱が不要になる。また、図５に示したのは、燃焼炉に飛灰スラグまたは溶融液を導入するものであり、溶融塊を導入する場合でも、加熱装置３によって圧延に適する溶融液９を加熱でき、該供給管１１の熱い煙を排煙口１３から吸上げて排出できる。
【００１９】
図４から図６を参照する。本実施例では、受止台２の導出口２１から導出される濃くて粘着性の高い溶融液９が圧延フライホイール４の間に流れて、その表面張力を低減するように圧延フライホイール４に圧延され、且つ圧延フライホイール４の溝４２により一層溶融液９の流体が拡散しやすいため、その自由面の面積（図６に示すように）も拡大しやすくなる。該溶融液９が圧延されても、そのまま圧延フライホイール４に付着し（図５に太い黒線で示すように）、且つ圧延フライホイール４の回転によって溶融液９にパワーが付与され圧延される。遠心タンジェントカム５の位置まで圧延されると、遠心タンジェントカム５の外縁にある刷毛体によって牽引され、フライホイール４の表面にある溶融液９を圧延して遠心タンジェントカムの方向へ抛り出すことができ、且つ瞬間に冷却、固化して細長い繊維９１を形成する。前記溶融液９の回転パワー及び遠心力との相互作用によって細長い繊維９１が圧延フライホイール４と遠心タンジェントカム５の表面から離脱できる。
【００２０】
図７と図８を参照する。そのまま圧延フライホイール４の表面に付着して残留した前記溶融液９は圧延フライホイール４の回転に合せてもう一つの遠心タンジェントカム５の位置まで回転し、もう一つの遠心タンジェントカム５によって牽引して抛り出されて繊維体９１に形成される。このため、圧延フライホイール４の表面にある溶融液９は一層効率よく牽引されて繊維として製造され、圧延してから牽引する繊維製造の方式では繊維９１の直径が更に小さくなるため、その利用性を促進できる。該気流入口１２からチッソのような気体を導入することによって、収容室内の酸素を断絶でき、圧延フライホイール４と遠心タンジェントカム５が酸化するのを避けられ、使用寿命が高められる。該収容室１５内にある抛り出される繊維９１はブロワー７の引力によってハウジング１の導出口１５１へ導出され、且つ収集装置（図の中に未表示）によって収集される。
【００２１】
図９を参照する。本考案の第二実施例では、二つの圧延フライホイール４に二つの遠心タンジェントカム５を組合わせることでも繊維製造の効果を有するのに対し、一つの圧延フライホイール４に一つの遠心タンジェントカム５を組合せており、その量産効率が前記第一実施例より低い。
図１０を参照する。本考案の第三実施例では、一つの圧延フライホイール４に三つの遠心タンジェントカム５を組合せることで、一層効率よく圧延フライホイール４に付着した溶融液を牽引して繊維を製造することができ、且つ第一実施例よりもより優れた量産効率を有する。
【００２２】
本実施例では、圧延フライホイール４の速度を変えることによって、成分の違った溶融液９の圧延可能な時間に合せて動作でき、且つ圧延フライホイール４と遠心タンジェントカム５の回転速度を変えることによって、繊維体９１の線径を変更できる。該繊維体９１を収集してから、更にその表面に付着した細い骨材と太い骨材を分離させることができ、且つ該細い骨材はコンクリート、人造板材に加えて応力及び全体的な強度を高めるように応用できる。
【００２３】
前記実施例は本考案の例示であり、本考案の実用新案請求範囲を制限するものではなく、本考案はその他の圧延溶融液（例えば、キャタピラ式）及び遠心牽引方式を以って本考案の方法に求められるニーズを満足させることができる。且つ本考案では、二個以上の圧延フライホイールを設置でき、遠心タンジェントカムの表面が突起になってもよく、また、本考案ではブロワーを設置しなくてもよく、繊維を自然に落下させて収集できる。また必ずしも加熱装置を設ける必要がないため、本考案の概念によってなされる簡易の変更は本考案の範囲内に属する。
【図面の簡単な説明】
【００２４】
【図１】本考案の第一実施例による石綿或いは石綿含有物を繊維に製造する装置を示す模式図である。
【図２】本考案の第一実施例による石綿或いは石綿含有物を繊維に製造する装置の圧延フライホイールと遠心タンジェントカムを示す斜視図である。
【図３】本考案の第一実施例による石綿或いは石綿含有物を繊維に製造する装置を示す模式図である。
【図４】本考案の第一実施例による石綿或いは石綿含有物を繊維に製造する装置の溶融液を供給管と受止台に導入する状態を示す模式図である。
【図５】本考案の第一実施例による石綿或いは石綿含有物を繊維に製造する装置の溶融液を圧延フライホイールに導入する状態を示す模式図である。
【図６】本考案の第一実施例による石綿或いは石綿含有物を繊維に製造する装置の溶融液を圧延フライホイールの表面に導入して繊維を製造する状態を示す模式図である。
【図７】本考案の第一実施例による石綿或いは石綿含有物を繊維に製造する装置の繊維を製造する動作を示す模式図である。
【図８】本考案の第一実施例による石綿或いは石綿含有物を繊維に製造する装置の繊維の製造及び収集を示す模式図である。
【図９】本考案の第二実施例による石綿或いは石綿含有物を繊維に製造する装置を示す模式図である。
【図１０】本考案の第三実施例による石綿或いは石綿含有物を繊維に製造する装置を示す模式図である。
【符号の説明】
【００２５】
１：ハウジング、２：受止台、３：加熱装置、４：圧延フライホイール、５：遠心タンジェントカム、６：伝動装置、７：ブロワー、８：燃焼炉、９：溶融液、１１：供給管、１２：気流入口、１３：排煙口、１４：温度感知器、１５：収容室、２１：導出口、４１：軸棒、４２：溝、５１：軸棒、６１：モーター、６２：伝動ベルト、８１：導出口、９１：繊維、１５１：導出口、１５２：覗き窓
【図１】
0003134502.tif 000003
【図２】
0003134502.tif 000004
【図３】
0003134502.tif 000005
【図４】
0003134502.tif 000006
【図５】
0003134502.tif 000007
【図６】
0003134502.tif 000008
【図７】
0003134502.tif 000009
【図８】
0003134502.tif 000010
【図９】
0003134502.tif 000011
【図１０】
0003134502.tif 000012